(57)【要約】【課題】  記録再生装置側にローディング機構を必要としない上、記録再生装置のマシンリールに磁気テープを容易に装着することができる、磁気テープ内蔵型記録再生装置に適した磁気テープカートリッジを提供する。【解決手段】  磁気テープカートリッジ１は、ケース本体２と、磁気テープＴが巻装され、ケース本体２内に回転可能に収容されたリール３と、磁気テープＴを引き出すためにケース本体２に設けられた開口部４と、磁気テープＴの一端が取り付けられ、開口部４を遮蔽可能で、且つ、ケース本体２から取り外し可能に設けられたローディング部６とを備え、ローディング部６には、磁気テープ型ドライブ装置に設けられたマシンリール１１に取り付けて該マシンリール１１を回動することによって磁気テープＴを巻き取るときに、磁気テープＴを収容する磁気テープ収容部６Ｂが設けられている。【選択図】  図１
2005149648.tif 000002
【特許請求の範囲】
【請求項１】
磁気テープを磁気ヘッドに対して走行させて磁気記録再生を行う磁気記録再生装置に内蔵される磁気テープカートリッジであって、
ケース本体と、前記磁気テープが巻装され、前記ケース本体内に回転可能に収容されたリールと、前記磁気テープを引き出すために前記ケース本体に設けられた開口部と、前記磁気テープの一端が取り付けられ、前記開口部を遮蔽可能で、且つ、該ケース本体から取り外し可能に設けられたローディング部とを備え、
前記ローディング部には、前記磁気記録再生装置に設けられたマシンリールに取り付けて該マシンリールを回動することによって前記磁気テープを巻き取るときに、前記磁気テープを収容する磁気テープ収容部が設けられていることを特徴とする磁気テープカートリッジ。
【請求項２】
前記ローディング部が、長尺の板部材であり、前記開口部を遮蔽している状態で前記ケース本体の側壁の１つとなるとともに、前記ケース本体から取り外されて前記マシンリールに取り付られるときは、該マシンリールの一対のフランジ及びハブに設けられたスリットに係合するように、前記板部材の長手方向における一端にはその一部を取り除くことによって前記磁気テープ収納部を形成するとともに前記一対のフランジの一部となる一対の突出片が形成され、他端には前記一対の突出片を支持するとともに前記ハブの一部となる基端部が形成されていることを特徴とする請求項１に記載の磁気テープカートリッジ。
【請求項３】
前記ローディング部が、前記ケース本体における前記開口部となる一側面に薄肉部によって固定されていることを特徴とする請求項１又は２に記載の磁気テープカートリッジ。
【請求項４】
前記ローディング部が、前記ケース本体における前記開口部となる一側面において、前記ケース本体に設けられた係合片によって支持されていることを特徴とする請求項１又は２に記載の磁気テープカートリッジ。
【発明の詳細な説明】
【技術分野】
【０００１】
本発明は、磁気テープ内蔵型の磁気記録再生装置に用いられる磁気テープカートリッジに関する。
【背景技術】
【０００２】
従来、必要な情報を磁気テープに書き込んで保存する磁気記録再生装置（ドライブ）が用いられている。このような磁気記録再生装置には、磁気テープカートリッジを磁気記録再生装置内に装填した際に、該磁気テープカートリッジから磁気テープの一端を引き出し、磁気記録再生装置内に設けられた搬送パス機構と、磁気記録再生装置内に設けられたマシンリールとに巻装させるローディング機構が設けられている。
【０００３】
図９は、従来の、ローディング機構を備えた磁気記録再生装置の一例の概略図を示している。磁気記録再生装置１００は、複数のスレッドアーム１１０ａ，１１０ｂ，１１０ｃ，１１０ｄを備えている。これら複数のスレッドアーム１１０ａ，１１０ｂ，１１０ｃ，１１０ｄは、ピン１１６によって互いに連結されており、カム１１１に設けられたカム溝１１１ａにスレッドアーム１１０ｃの突起部１１５が係合し、該突起部１１５が上記カム溝１１１ａに沿って移動することでスレッドアーム１１０ａ，１１０ｂ，１１０ｃ，１１０ｄが図中反時計回りに所定の経路で回動するように案内される。スレッドアーム１１０ａの先端にはスレッダピン１１３が設けられている。スレッダピン１１３は、カートリッジ１２２のテープリール１２３に巻回された磁気テープの一端に固定されているリーダブロック１２５に係合するように構成されている。スレッドアーム１１０ａを回動すると、スレッダピン１１３によってリーダブロック１２５及び磁気テープが引き出される。そして、スレッドアーム１１０ａ，１１０ｂ，１１０ｃ，１１０ｄがカム溝１１１ａに規制された経路（図中一点鎖線の矢印で示される経路）を移動すると、磁気テープがテープガイド１１９，磁気ヘッド１２０及びガイド部１２１へ掛け回され、マシンリール１１２の支軸１１２ｃにリーダブロック１２５が係合する。このような構成によって、カートリッジ１２２から磁気テープを引き出してマシンリールに巻装するテープローディング工程が完了する。このような、ローディング機構を有する磁気記録再生装置としては、例えば、下記の特許文献１などがある。
【０００４】
【特許文献１】特開平５−２５８４２０号公報
【発明の開示】
【発明が解決しようとする課題】
【０００５】
ところで、近年、磁気テープカートリッジを内蔵した磁気テープ内蔵型の磁気記録再生装置が開発されている。このような磁気記録再生装置においては、磁気テープカートリッジを出し入れする作業が行われないので、ドライブ生産の組立て工程のときだけ磁気テープのローディングを行えばよい。このため、図９に示すような従来のローディング機構は必要なく、ローディング機構をより簡便な構成にしたいという要望があった。
【０００６】
本発明は、このような事情に鑑みてなされたもので、その目的は、磁気記録再生装置側にローディング機構を必要としない上、磁気記録再生装置のマシンリールに磁気テープを容易に装着することができる、磁気テープ内蔵型の磁気記録再生装置に適した磁気テープカートリッジを提供することにある。
【課題を解決するための手段】
【０００７】
本発明の上記目的は、磁気テープを磁気ヘッドに対して走行させて磁気記録再生を行う磁気記録再生装置に内蔵される磁気テープカートリッジであって、ケース本体と、前記磁気テープが巻装され、前記ケース本体内に回転可能に収容されたリールと、前記磁気テープを引き出すために前記ケース本体に設けられた開口部と、前記磁気テープの一端が取り付けられ、前記開口部を遮蔽可能で、且つ、該ケース本体から取り外し可能に設けられたローディング部とを備え、前記ローディング部には、前記磁気記録再生装置に設けられたマシンリールに取り付けて該マシンリールを回動することによって前記磁気テープを巻き取るときに、前記磁気テープを収容する磁気テープ収容部が設けられていることを特徴とする磁気テープカートリッジによって達成される。
【０００８】
本発明の磁気テープカートリッジは、磁気テープの一端がローディング部に取り付けられており、このローディング部がケース本体から取り外し可能であるとともに、磁気記録再生装置に設けられたマシンリールに取り付け可能に構成されている。また、ローディング部には、マシンリールに取り付けた際に、磁気テープを収容可能な磁気テープ収容部が設けられている。このような磁気テープカートリッジを磁気テープ内蔵型の磁気記録再生装置の製造時に装着する場合には、作業者は、ローディング部を手で把持してケース本体から取り外してマシンリールに取り付けるとともに、ローディング部に伴い引き出された磁気テープを磁気記録再生装置側の所定の搬送機構に巻装することで磁気テープのローディング作業を完了させることができる。つまり、磁気テープカートリッジを内蔵した磁気記録再生装置においては、装置を製造する際の一度だけ磁気テープのローディングを行えばよく、上記のような構成とすることで磁気記録再生装置側に従来の複雑なローディング機構を設ける必要がないため、磁気記録再生装置の構成を簡単にすることができる。
また、磁気記録再生装置の構成によって磁気テープカートリッジのローディング部の形状が限定されることがないため、従来のように磁気記録再生装置のローディング機構や磁気テープ搬送機構に応じて装着できる磁気テープカートリッジが限定されるといったことを回避することができる。
さらに、上記磁気テープカートリッジは、マシンリールに取り付ける前は、ローディング部がケース本体の開口部を遮蔽する機能を有しているため、磁気記録再生装置を製造する直前まで磁気テープカートリッジの気密性が保たれ、該ケース本体内に収容されている磁気テープに塵埃が付着することを防止することができる。
【０００９】
上記磁気テープカートリッジは、ローディング部が、長尺の板部材であり、開口部を遮蔽している状態で前記ケース本体の側壁の１つを構成するとともに、ケース本体から取り外してマシンリールに取り付けるときは、該マシンリールの一対のフランジ及びハブに設けられたスリットに係合するように、板部材の長手方向における一端にはその一部を取り除くことによって磁気テープ収納部を形成するとともに一対のフランジの一部となる一対の突出片が形成され、他端には一対の突出片を支持するとともにハブの一部となる基端部が形成されていることが好ましい。
こうすれば、ローディング部をマシンリールに取り付けた後で、ローディング部がマシンリールと略一体となるため、該マシンリールに巻装される磁気テープがローディング部に干渉することを防止することができる。
また、上記磁気テープカートリッジは、マシンリールに取り付ける前において、ローディング部がケース本体の側壁を構成する板部材であり、また、磁気テープのローディング時にローディング部をマシンリールに手で挿し込めばよいだけの形状であるため、従来のローディング機構によって引き出されるリーダブロックの形状に比べてより簡単な形状とすることができる。
【００１０】
上記磁気テープカートリッジにおいて、ローディング部が、ケース本体における開口部となる一側面に薄肉部によって固定されていることが好ましい。または、ローディング部が、ケース本体における開口部となる一側面において、ケース本体に設けられた係合片によって支持されていることが好ましい。こうすれば、ケース本体における、ローディング部を保持するための構造をより簡単にすることができる。
【発明の効果】
【００１１】
本発明によれば、磁気記録再生装置側にローディング機構を必要としない上、磁気記録再生装置のマシンリールに磁気テープを容易に装着することができる、磁気テープ内蔵型の磁気記録再生装置に適した磁気テープカートリッジを提供できる。
【発明を実施するための最良の形態】
【００１２】
以下、本発明の実施形態を図面に基づいて詳しく説明する。
（第１の実施形態）
図１は、本発明にかかる磁気テープカートリッジの第１の実施形態を示す全体斜視図である。図２は、図１の磁気テープカートリッジのローディング部を示す斜視図である。図３は、ローディング部をマシンリールに取り付ける状態を示す斜視図である。図４は、本発明にかかる磁気テープカートリッジを内蔵した磁気テープ内蔵型の磁気記録再生装置を示す概略構成図である。図５は、図４のＡ−Ａ線矢視図である。
図１に示すように、磁気テープカートリッジ１は、上ケース２ａと下ケース２ｂとがネジ等により締結されてなるケース本体２を備えている。ここで、磁気テープカートリッジ１は、磁気テープを磁気ヘッドに対して走行させて磁気記録再生を行う磁気記録再生装置に内蔵されて用いられるものである。
【００１３】
ケース本体２の内部には、単一のカートリッジ側リール（リール）３が回動可能に収容される。カートリッジ側リール３には磁気テープＴが巻装されている。磁気テープＴの先端には、終端にローディング部６が固着されたリーダーテープが延長接合される。
【００１４】
上ケース２ａと下ケース２ｂはそれぞれ、略正方形の底面と、該底面の４辺のうち３辺に立設壁とを有している。これら上ケース２ａ及び下ケース２ｂを重ね合わせることで、ケース本体２において重ね合う立設壁から成る３つの側壁が形成される。また、ケース本体２において、上ケース２ａ及び下ケース２ｂの各立設壁が重なり合わない側面には、磁気テープ５を引き出すための開口部４が形成されている。
【００１５】
ローディング部６は長尺の板部材からなる。また、ローディング部６は、上ケース２ａ及び下ケース２ｂとで保持されつつ図１中矢印Ｓ方向に摺動可能な状態で開口部４に取り付けられている。上ケース２ａ及び下ケース２ｂのそれぞれには、ローディング部６をケース本体２から脱落することなく安定した状態で摺動支持する摺動溝が形成されていてもよい。
【００１６】
磁気テープカートリッジ１が磁気記録再生装置に装着される前においては、開口部４がローディング部６によってケース本体２外側から遮蔽されている。また、磁気テープカートリッジ１を磁気記録再生装置に装着する際には、作業者によってローディング部６が把持されて矢印Ｓ方向に引張られることで、ローディング部６が同方向に摺動され、開口部４が開口する。また、ローディング部６に接続されたリーダーテープ及び磁気テープＴが、引張られたローディング部６に追従しつつ開口部４からケース本体２の外部に引き出される。このように、本発明にかかる磁気テープカートリッジ１は、作業者が手などでローディング部を直接把持して案内することで磁気テープＴを磁気記録再生装置における所定の磁気テープ搬送経路に巻装させることでローディング工程が行われるものである。
【００１７】
図１及び図２に示すように、ローディング部６は、長尺方向（図１中矢印Ｓ方向）における一端に薄肉部Ｌによって区画された切除部Ｄが設けられ、手指で切除部Ｄに力を加えることで切除部Ｄをローディング部６側から破断させることができる構成である。
【００１８】
図２に示すように、ローディング部６は、切除部Ｄが取り除かれた状態において、長手方向の一端側に一対の突出片７が形成され、また、長手方向の他端側には基端部６Ａが形成されるように構成されている。
【００１９】
図３に示すように、磁気記録再生装置に設けられたマシンリール１１は、回転軸方向（図３中上下方向）に見た状態でそれぞれ正円形の一対のフランジ１１ａ，１１ｂと、これらフランジ１１ａ，１１ｂ間においてマシンリールの回転軸上に設けられた円柱形のハブ１２とから構成されている。マシンリール１１は、図示しない駆動装置によって回転駆動し、磁気テープカートリッジ１から送り出される磁気テープＴを、フランジ１１ａ，１１ｂによってテープ幅方向のずれを規制しつつ、ハブ１２の外周面に巻き付けつつ収容する構成である。
【００２０】
本実施形態において、マシンリール１１のフランジ１１ａ，１１ｂには、各フランジの外周縁から回転軸近傍に延びるスリット１３ａ，１３ｂが形成され、また、ハブ１２には回転軸方向視において各フランジ１１ａ，１１ｂのスリット１３ａ，１３ｂと連通する位置にスリットが形成されている。
【００２１】
次に、磁気テープカートリッジを記録再生装置に備え付けて磁気テープをローディングする機構を説明する。
先ず、作業者が手で磁気テープカートリッジ１のローディング部６を把持して、ケース本体２からローディング部６を取り外す。そして、図４に示すように、ローディング部６とともに磁気テープＴを引き出して磁気記録再生装置１０における磁気テープ搬送機構である搬送ローラ１５や磁気ヘッド１６に磁気テープＴを掛け渡す。そして、磁気テープＴを、磁気記録再生装置１０において回転駆動可能に保持されているマシンリール１１に支持させる。
【００２２】
本実施形態では、上記ローディング部６が、マシンリール１１に取り付け可能に構成されている。そして、ローディング部６は、マシンリール１１に取り付けられた状態で該マシンリール１１の一部を構成する。磁気テープＴの巻き取り時には、ローディング部６がマシンリール１１とともに一体として回転し、このローディング部６にリーダーテープを介して固着された該磁気テープＴがマシンリール１１によって巻き取って収容される。
【００２３】
具体的には、図２及び図３に示すように、ローディング部６を厚さ方向に見た状態において、切除部Ｄは長方形で、この切除部Ｄの短辺の長さが磁気テープＴの幅方向寸法より僅かに大きく、且つ、切除部Ｄの長辺の長さがマシンリール１１の径方向におけるハブ外周面からフランジの外周端までの寸法に等しい。また、ローディング部６における切除部Ｄを除く部分の長手方向寸法は、ハブ１２に形成されたスリットの深さと一致するように形成されている。
【００２４】
こうすると、切除部Ｄを取り除いた後にローディング部６をマシンリール１１に取り付けると、基端部６Ａがハブの一部となるように嵌合される。また、一対の突出片７は上記基端部６Ａに支持されるとともに、フランジ１１ａ，１１ｂの一部となるように嵌合される。このとき、ハブ外周面においてローディング部６が該ハブ１２と同一面となり、且つ、フランジ１１ａ，１１ｂの両面においてローディング部６が同一面となるようにする。
【００２５】
ローディング部６をマシンリール１１に取り付けた状態で、該マシンリール１１を磁気記録再生装置における図示しない駆動装置によって回動させると、ローディング部６がマシンリール１１と一体に回転する。このとき、図５に示すように、マシンリール１１に巻き取られる磁気テープＴが、各フランジ１１ａ，１１ｂによってテープ幅方向のずれを規制されつつハブ１２の外周面を周回しつつ巻き取られることによって収容される。ここで、ローディング部６の磁気テープ収容部６Ｂにおいて、切除部Ｄを取り除くことで形成された空間６ｓが磁気テープを収容する部分として機能し、磁気テープＴがマシンリール１１に取り付けられたローディング部６に干渉することがなく収容保持される。
【００２６】
上記磁気テープカートリッジ１は、磁気記録再生装置１０を製造する際の一度だけ磁気テープＴのローディングを作業者が行えばよく、磁気記録再生装置１０側に図９に示したような複雑な構成を有する従来のローディング機構を設ける必要がないため、磁気記録再生装置の構成を簡単にすることができる。
【００２７】
また、上記磁気テープカートリッジ１は、マシンリール１１に取り付ける前は、ローディング部６がケース本体２の開口部４を遮蔽する機能を有しているため、磁気記録再生装置１０を製造する直前まで磁気テープカートリッジ１の気密性が保たれ、該ケース本体２内に収容されている磁気テープＴに塵埃が付着することを防止することができる。
【００２８】
さらに、本実施形態の磁気テープカートリッジ１において、ローディング部６の形状が磁気記録再生装置１０の構成によって限定されることがないため、従来のように磁気記録再生装置１０のローディング機構や磁気テープ搬送機構に応じて装着できる磁気テープカートリッジが限定されるといったことを回避することができる。
例えば、図６に示す磁気記録再生装置２０のように、磁気テープ搬送機構である搬送ローラ２５や磁気ヘッド２６の位置が図５の磁気記録再生装置１０と比べて異なる場合、本実施形態にかかる磁気テープカートリッジ１のケース本体２における所定の一側面に開口部４が設けられているため、作業者が任意に磁気テープＴを引き出して磁気記録再生装置２０の磁気テープ搬送機構に掛け渡してローディング部６をマシンリール２１のハブ２２に取り付けることでテープローディングを行うことができる。
【００２９】
上記磁気テープカートリッジ１は、ローディング部６が、長尺の板部材であり、開口部４を遮蔽している状態でケース本体２の側壁の１つを構成するとともに、ケース本体２から取り外してマシンリール１１に取り付けるときは、該マシンリール１１の一対のフランジ１１ａ，１１ｂ及びハブ１２に設けられたスリット１３ａ，１３ｂに係合するように、ローディング部６の長手方向における一端にはその一部を取り除くことによって磁気テープ収納部６Ｂを形成するとともに一対のフランジ１１ａ，１１ｂの一部となる一対の突出片７が形成され、他端には一対の突出片７を支持するとともにハブ１２の一部となる基端部６Ａが形成されている。
【００３０】
このため、ローディング部６をマシンリール１１に取り付けた後で、ローディング部６がマシンリール１１と一体となるため、該マシンリール１１に巻装される磁気テープＴがローディング部６に干渉することを防止することができる。
また、上記磁気テープカートリッジ１は、マシンリール１１に取り付ける前において、ローディング部６がケース本体２の側壁を構成する板部材であり、また、磁気テープＴのローディング時にローディング部６をマシンリール１１に手で挿し込めばよいだけの形状であるため、従来のローディング機構によって引き出されるリーダブロックの形状に比べてより簡単な形状とすることができる。
【００３１】
（第２の実施形態）
図７、本発明にかかる磁気テープカートリッジの第２の実施形態を示す。なお、以下に説明する実施形態において、すでに説明した部材などと同等な構成・作用を有する部材等については、図中に同一符号又は相当符号を付すことにより、説明を簡略化或いは省略する。
図７に示すように、磁気テープカートリッジ３１は、ケース本体３２の開口部となる一側面にローディング部３６が薄肉部３５によって固定されている構成である。
【００３２】
具体的には、磁気テープカートリッジ３１は、ケース本体３２において、上面（図７中上側の面）及び側壁の開口部側縁部に設けられた複数（本実施形態では計６個）の薄肉部３５によって、該ケース本体２とローディング部６の周縁とが一体となるように構成されている。本実施形態において、磁気テープカートリッジ３１を磁気テープ内蔵型の磁気記録再生装置に備え付けてテープローディングを行う場合には、作業者がケース本体３２とを把持しつつ該ケース本体３２からローディング部６を引き離すと、薄肉部３５が次々に破断してローディング部６がケース本体２から取り外すことができる。そして、第１の実施形態と同様に切除部Ｄを除去して磁気記録再生装置のマシンリール（図５参照）に取り付けることができる。
【００３３】
このように、ケース本体２とローディング部６との支持構造としては、上記第１の実施形態で説明したように、ローディング部６がケース本体２に対してスライドする構成でもよく、本実施形態のように、使用時において薄肉部を破断させてケース本体２から剥離する構成としてもよい。こうすれば、ケース本体２とローディング部６との支持構造をより簡単にすることができる。
【００３４】
（第３の実施形態）
図８、本発明にかかる磁気テープカートリッジの第３の実施形態を示す。図８に示すように、磁気テープカートリッジ４１は、ケース本体４２の開口部となる一側面において、ローディング部４６がケース本体２に設けられた係合片４５によって支持されている構成である。
【００３５】
具体的には、磁気テープカートリッジ４１は、ケース本体４２において、上面（図８中上側の面）と、底面（図８中下側の面）及び側壁の開口部側の縁部には、ケース本体４２内側に向かって突出するように複数（本実施形態では各縁部に１個づつで計４個）の係合片４５が設けられている。磁気テープカートリッジ４１は、ローディング部４６が、ケース本体４２の開口部に嵌合されるとともに、該ローディング部４６におけるケース本体４２外側の面が上記係合片４５に係合するように構成されている。本実施形態において、磁気テープカートリッジ４１を磁気テープ内蔵型の磁気記録再生装置に備え付けてテープローディングを行う場合には、作業者がケース本体４２の係合片４５を手指などでケース本体外方側へ折り曲げてローディング部４６とケース本体４２との係合を解除することで、ケース本体４２からローディング部４６を取り出すことができる。そして、第１の実施形態と同様に切除部Ｄを除去して記録再生装置のマシンリール（図５参照）に取り付けることができる。こうすれば、ケース本体２とローディング部６との支持構造をより簡単にすることができる。
【００３６】
なお、本発明は、前述した実施形態に限定されるものではなく、適宜な変形、改良などが可能である。
【図面の簡単な説明】
【００３７】
【図１】本発明にかかる磁気テープカートリッジの第１の実施形態を示す全体斜視図である。
【図２】図１の磁気テープカートリッジのローディング部を示す斜視図である。
【図３】図３は、ローディング部をマシンリールに取り付ける状態を示す斜視図である。
【図４】本発明にかかる磁気テープカートリッジを内蔵した磁気テープ内蔵型記録再生装置を示す概略構成図である。
【図５】図５は、図４のＡ−Ａ線矢視図である。
【図６】図４に示す磁気テープ内蔵型記録再生装置の変形例を示す概略構成図である。
【図７】本発明にかかる磁気テープカートリッジの第２の実施形態を示す斜視図である。
【図８】本発明にかかる磁気テープカートリッジの第３の実施形態を示す斜視図である。
【図９】従来のローディング機構を備えた磁気テープ型記録再生装置を説明する構成図である。
【符号の説明】
【００３８】
１    磁気テープカートリッジ
２    ケース本体
３    リール（カートリッジ側リール）
４    開口部
６    ローディング部
１０    （磁気テープ内蔵型の）磁気記録再生装置
１１    マシンリール
１１ａ，１１ｂ    フランジ
１２    ハブ
１３ａ，１３ｂ    スリット
Ｔ    磁気テープ
【図４】
2005149648.tif 000003
【図５】
2005149648.tif 000004
【図６】
2005149648.tif 000005
【図７】
2005149648.tif 000006
【図８】
2005149648.tif 000007
【図９】
2005149648.tif 000008
【図１】
2005149648.tif 000009
【図２】
2005149648.tif 000010
【図３】
2005149648.tif 000011